(57)【要約】【課題】簡単な構成で中間転写体上のトナーの帯電量を揃えることができ、印刷全面で均一な転写性が確保できる転写装置とそれを備えた画像形成装置を提供することを目的とする。【解決手段】転写装置において、像担持体上のトナー像が一次転写される導電層を含む複層構造の中間転写体と、前記中間転写体上のトナー像を転写材上に二次転写する二次転写手段を備え、前記中間転写体上の二次転写前のトナーを逆極性に帯電する二次転写前帯電手段を設け、前記二次転写手段の直前にトナーの帯電極性を逆極性とし、前記二次転写手段は一次転写の際印加した一次転写バイアスと逆極性の二次転写バイアスを中間転写体上のトナーに印加することを特徴とする。【選択図】図１
2008241864.tif 000002
【特許請求の範囲】
【請求項１】
複数の像担持体上のトナー像を中間転写体に一次転写する一次転写手段と、前記一次転写手段により色重ねされる導電層を含む複層構造の前記中間転写体と、前記中間転写体上のトナー像を転写材上に二次転写する二次転写手段を備えた転写装置において、前記中間転写体上の二次転写前のトナーを前記二次転写手段の直前に逆極性に帯電する二次転写前帯電手段を設け、前記二次転写手段は一次転写の際印加した一次転写バイアスと逆極性の二次転写バイアスを中間転写体上のトナーに印加することを特徴とする転写装置。
【請求項２】
前記トナーを体積平均粒径が３〜５μｍの小粒径トナーとすることを特徴とする請求項１に記載の転写装置。
【請求項３】
前記中間転写体を中間転写ベルトとすることを特徴とする請求項１または２に記載の転写装置。
【請求項４】
前記二次転写前帯電手段をコロナ帯電器とし、前記コロナ帯電器と対向する中間転写ベルトの内側にアースされたローラを配置することを特徴とする請求項１〜３のいずれかに記載の転写装置。
【請求項５】
前記二次転写前帯電手段の出力をプロセス速度の変化により制御することを特徴とする請求項１〜４のいずれかに記載の転写装置。
【請求項６】
前記請求項１〜５のいずれかの転写装置を備えることを特徴とする画像形成装置。
【発明の詳細な説明】
【技術分野】
【０００１】
本発明は、電子写真技術を用いて紙等の記録材に画像を形成するプリンタ、ファクシミリ、複写機等に用いられる転写装置とそれを備えた画像形成装置に関する。
【背景技術】
【０００２】
従来、電子写真方式の画像形成装置において、像担持体上に形成された所定極性に帯電されたトナー像を静電気力を利用して中間転写体に一次転写し、中間転写体上のトナー像を静電気力を利用して紙等の転写材に二次転写する転写装置が知られている。このような中間転写体を用いる転写装置は、像担持体上に形成したトナー像を中間転写体上に重ね合わせることができるので、カラー画像形成装置に広く利用されている。
【０００３】
通常、現像器によりトナーを帯電し、その帯電極性のまま一次転写および二次転写を行ってきた。その際、一次転写および二次転写は、トナーの帯電極性とは逆の極性の電荷を印加して中間転写体や紙等の転写材に転写していた。つまり、一次転写および二次転写のバイアスは同じ極性のバイアスで転写していた。また、特許第３５１７６２１号公報には、トナーの二次転写性を補助するため、予め転写材にトナーの極性とは逆の極性を帯電する転写方法が開示されている。特開２００６−２４３３３３号公報には、中間転写体の二次転写前にスコロトロン型の除電手段を設け、除電手段の放電電極にトナーと逆極性の直流電圧を印加し、トナー層電荷を減少させ二次転写の転写性を向上する転写装置が開示されている。さらに、特許第３７１８０４５号公報には、中間転写体上のトナー像の電位とそれを転写材に二次転写する二次転写手段の電位との差をほぼ一定に保つために、二次転写前帯電手段を設け、前記二次転写前帯電手段の出力を制御するようにした転写装置が開示されている。また、特開２００６−４７４９１号公報には、中間転写体を導電層を含む複層構造として転写性を向上させた転写装置が開示されている。
【特許文献１】特許第３５１７６２１号公報
【特許文献２】特開２００６−２４３３３３号公報
【特許文献３】特許第３７１８０４５号公報
【特許文献４】特開２００６−４７４９１号公報
【発明の開示】
【発明が解決しようとする課題】
【０００４】
中間転写体上のトナーは、色重ねのため複数の像担持体を通過する時帯電量が変化する。また、高画質化のためトナーの粒径を小粒径化したり、トナーに含まれる顔料濃度を高くして中間転写体上のトナー量を少なくした場合、中間転写体上のトナーの帯電量の変化は大きくなり、印刷する画像パターンによる印刷面のトナーの帯電量のばらつきが大きくなり、印刷面全面で均一かつ効率的な転写性を確保できなくなるという問題点が生じてきた。特許第３５１７６２１号公報に開示された、転写材を予め逆極性に帯電させた場合は、二次転写のニップ直前でプレ転写が始まってしまい、トナー像を乱してしまうという不具合が生じる。特開２００６−２４３３３３号公報に開示された、二次転写前に除電手段により逆極性の電荷を印加し中間転写体上のトナーの帯電量を減少させた場合、中間転写体上のトナー像の帯電量は減少するが帯電量の不揃いは解消されず、高画質の画像を得ることができないという問題がある。特許第３７１８０４５号公報に開示された、中間転写体上のトナー像の電位とそれを転写材に二次転写する二次転写手段の電位との差をほぼ一定に保つために、二次転写前帯電手段を設け、前記二次転写前帯電手段の出力を制御する転写装置の場合、中間転写体上のトナーと同極性の電荷が印加されるため、トナーの帯電量が大きくなり、二次転写性を阻害するという問題点が生じる。また、導電層を含む複層構造の中間転写体を用いた転写装置においても、一次転写部でトナーの帯電量の不揃い発生し、二次転写性を阻害するという問題が発生する。
【０００５】
本発明は、前記課題を解決する、簡単な構成で中間転写体上のトナーの帯電量を揃えることができ、印刷全面で均一かつ効率的な転写性が確保できる転写装置とそれを備えた画像形成装置を提供することを目的とする。
【課題を解決するための手段】
【０００６】
本第１発明は、前記課題を解決するために、転写装置において、複数の像担持体上のトナー像を中間転写体に一次転写する一次転写手段と、前記一次転写手段により色重ねされる導電層を含む複層構造の前記中間転写体と、前記中間転写体上のトナー像を転写材上に二次転写する二次転写手段を備えた転写装置において、前記中間転写体上の二次転写前のトナーを前記二次転写手段の直前に逆極性に帯電する二次転写前帯電手段を設け、前記二次転写手段は一次転写の際印加した一次転写バイアスと逆極性の二次転写バイアスを中間転写体上のトナーに印加することを特徴とする。導電層を含む複層構造の中間転写体を用いることにより一次転写の転写性を向上させ、二次転写前に一次転写後の中間転写体上でトナーの帯電極性を逆極性に帯電させることで、面内でばらついていたトナーの帯電量を揃えることができ、印刷面全面で均一かつ効率的な転写性を確保することができる。
【０００７】
本第２発明は、本第１発明の転写装置において、前記トナーを体積平均粒径が３〜５μｍの小粒径トナーとすることを特徴とする。トナー粒径を小粒径化することにより、中間転写体上のトナーの帯電量の変化が大きくなるので、二次転写前にトナーを逆極性にすることにより帯電量のばらつきを揃えることができ、印刷面全面で均一かつ効率的な転写性を確保することができる。
【０００８】
本第３発明は、本第１発明または第２発明の転写装置において、前記中間転写体を中間転写ベルトとすることを特徴とする。
【０００９】
本第４発明は、本第１〜第３発明のいずれかの転写装置において、前記二次転写前帯電手段をコロナ帯電器とし、前記コロナ帯電器と対向する中間転写ベルトの内側にアースされたローラを配置することを特徴とする。二次転写前帯電手段をコロナ帯電器とすることで、ワイヤ電極からのコロナ放電により中間転写体上のトナーを均一に帯電できる。
【００１０】
本第５発明は、本第１〜第４発明のいずれかの転写装置において、前記転写前帯電手段の出力をプロセス速度の変化により制御することを特徴とする。環境の変化、紙種の変化によりプロセス速度が変化すると中間転写体上のトナーの帯電効率が変化するので、その変化に対応するように出力を制御してトナーの帯電量のばらつきを揃えることができる。
【００１１】
本第６発明は、画像形成装置において、前記請求項１〜５のいずれかの転写装置を備えることを特徴とする。印刷面全面で均一かつ効率的な転写性を確保することができるので、高画質の画像を得ることができる。
【発明を実施するための最良の形態】
【００１２】
以下、本発明の実施の形態を図面を参照しつつ説明する。図１は、本発明の転写装置の概略図である。
【００１３】
複数の像担持体である感光体２０（Ｙ、Ｍ、Ｃ、Ｋ）のトナー像を一次転写する中間転写体である導電層を含む複層構造の中間転写ベルト７０は、それぞれ接地された駆動ローラ７１ａ、従動ローラ７１ｂ、支持ローラ７１ｃ、７１ｄに張架されたエンドレスのベルトであり、感光体２０（Ｙ、Ｍ、Ｃ、Ｋ）と当接しながら回転駆動される。図２に示されるように中間転写ベルト７０は、金属薄膜等の導体からなる導電層７０ａと、この導電層７０ａ上に形成され感光体２０（Ｙ、Ｍ、Ｃ、Ｋ）に圧接される導電剤を絶縁性の樹脂中に分散して体積抵抗率を調整した抵抗層７０ｂと、導電層７０ａ下に形成される絶縁性の樹脂からなる絶縁基体７０ｃを有する複層構造で構成される。中間転写ベルと７０の側縁部において抵抗層７０ｂが帯状に除去されることにより導電層７０ａが帯状に露出し、中間転写ベルト７０の従動ローラ７１ｂをバックアップローラとして電極ローラ２１０が帯状の導電層７０ａに接触して一次転写電圧を印加する一次転写ユニット６０を形成する。このように構成することで、感光体２０（Ｙ、Ｍ、Ｃ、Ｋ）と中間転写ベルト７０との圧接部Ｂ１、Ｂ２、Ｂ３、Ｂ４（すなわち一次転写部）の電位が均一となり、転写性を向上させる。中間転写ベルト７０の内側の各感光体２０（Ｙ、Ｍ、Ｃ、Ｋ）に対応する位置には、接地されたバックアップローラ６５（Ｙ、Ｍ、Ｃ、Ｋ）が配置される。一次転写部Ｂ１、Ｂ２、Ｂ３、Ｂ４の下流に位置する駆動ローラ７１ａと対向する位置に二次転写バイアスを印加する二次転写ローラ８２が配置され二次転写ユニット８０を形成する。
【００１４】
感光体２０（Ｙ、Ｍ、Ｃ、Ｋ）に形成されるトナー像のトナーは、現像ユニット５０（Ｙ、Ｍ、Ｃ、Ｋ）により帯電された帯電極性を有する。感光体２０（Ｙ、Ｍ、Ｃ、Ｋ）上に形成されたトナー像は、感光体２０（Ｙ、Ｍ、Ｃ、Ｋ）の回転に伴って一次転写部Ｂ１、Ｂ２、Ｂ３、Ｂ４位置に至り、中間転写ベルト７０に転写される。この際、一次転写部Ｂ１、Ｂ２、Ｂ３、Ｂ４には、電極ローラ２１０によりトナーの帯電極性とは逆の極性の一次転写電圧が印加される。この結果、各々の感光体２０（Ｙ、Ｍ、Ｃ、Ｋ）上に形成された４色のトナー像は、中間転写ベルト７０に重なり合って転写され、中間転写ベルト７０上にはフルカラートナー像が形成される。
【００１５】
中間転写ベルト７０上に形成されたフルカラートナー像は、中間転写ベルト７０の回転に伴って二次転写部Ｃ１に至り、二次転写ユニット８０によって転写材に転写される。二次転写を行う際、二次転写ユニット８０は中間転写ベルト７０に押圧されるとともに中間転写ベルト７０上に形成されたフルカラートナー像のトナー帯電極性と逆極性の二次転写電圧が印加される。従来、一次転写部Ｂ１、Ｂ２、Ｂ３、Ｂ４、及び二次転写部Ｃ１でのトナーの帯電極性は同じであるので、一次転写電圧と二次転写電圧は同じ極性となる。
【００１６】
感光体２０（Ｙ、Ｍ、Ｃ、Ｋ）から中間転写ベルト７０にトナー像を転写する一次転写部Ｂ１、Ｂ２、Ｂ３、Ｂ４を通過した後のトナー像に帯電量のばらつきが生じる。トナーの帯電量のばらつきは、複数の感光体２０（Ｙ、Ｍ、Ｃ、Ｋ）を通るときや、トナー像がベタ部とハーフトーン部有する場合のトナー付着量の面内でのばらつき、単色の場合と色重ねされた場合のトナーの厚みの相違等により発生する。図３には、トナーの粒径の相違によるトナーの厚みとトナーの帯電量の変化を示す図である。トナーの体積平均粒径が７μｍのトナーの場合、トナー帯電量の変化は、−２５μＣ／ｇ以下であるのに対して、トナーの体積平均粒径が５μｍの場合は、−１０μＣ／ｇ〜−４０μＣ／ｇの幅で変化し、トナーの体積平均粒径が３μｍの場合は、−１５μＣ／ｇ〜−６０μＣ／ｇの幅で変化する。トナーの体積平均粒径は、体積基準の平均粒径であって、湿式分散機を備えた「コールターカウンターＴＡ−ＩＩ」または「コールターマルチサイザー」（いずれもコールター社製）により測定した値である。このように、トナーの粒径が小さくなると中間転写ベルト７０上のトナーの帯電量の変化が大きくなり、トナーの帯電量が不揃いになる。
【００１７】
このように中間転写ベルト７０上のトナー像内に帯電量のばらつきがあると、転写特性が互いに異なる部分が同一トナー像内に存在することになる。この転写特性の異なるすべての部分を同じ二次転写条件下で転写材に転写しようとすると、安定した二次転写ができなくなり、画像の画質が低下する。
【００１８】
そのため、本発明では、中間転写ベルト７０の二次転写部Ｃ１の直前に二次転写前帯電ユニット９９を設置する。二次転写前帯電ユニット９９は、中間転写ベルト７０上の一次転写後のトナー像のトナー帯電極性を逆極性にし、一次転写の際生じた帯電量の不揃いをキャンセルして一様な帯電量にする機能を有する。
【００１９】
二次転写前帯電ユニット９９としては、スコロトロン帯電器やコロトロン帯電器等のコロナ帯電器が用いられる。スコロトロン帯電器は、シールドされたケース内にワイヤ電極を配置し、開口部にグリッド電極を配置して構成される。スコロトロン帯電器が配置された中間転写ベルト７０の内側には接地されたバックアップローラローラ７１ｄが配置される。
【００２０】
中間転写ベルト７０上のトナーが負の帯電極性を有する場合、スコロトロン帯電器のワイヤ電極に＋４．５ｋＶの電圧を印加し、グリッド電極に＋６００Ｖの電圧を印加する。その結果、中間転写ベルト７０のトナー像の帯電量が−５０μＣ／ｇから＋４０μＣ／ｇと逆極性の帯電量に変化することが確認された。中間転写ベルト７０上の一次転写後のトナー像のトナー帯電極性を逆極性に帯電することにより、一次転写の際生じた帯電量の不揃いを一様な帯電量にすることができる。また、中間転写ベルト７０に供給されている一次転写バイアスと二次転写前帯電ユニット９９により逆極性に帯電されたトナーが同極性の電圧となるため、二次転写直前のトナーには中間転写ベルト７０から離されようとする力が作用する。この状態で、二次転写ローラ８２に定電流制御により−２０μＡ（１．６ｋＶ）と一次転写の際と逆極性の二次転写電圧を印加した結果、印刷画面全域にわたり均一かつ効率的に転写することができた。
【００２１】
しかし、スコロトロン帯電器等の二次転写前帯電ユニット９９は、温湿度等の環境の変化によるプロセスス速度の変化により帯電効率が変化する。そのため、プロセス速度の変化に応じて、二次転写前転写手段９９がスコロトロン帯電器の場合、ワイヤ電極の出力電圧を制御することで対応する。
【００２２】
図４は、本発明の転写装置を備えた画像形成装置の概略図である。図４は、プリンタ１０を構成する主要構成要素を示した図である。なお、図４には、矢印にて上下方向を示しており、例えば、給紙トレイ９２は、プリンタ１０の下部に配置されており、定着ユニット９０は、プリンタ１０の上部に配置されている。
【００２３】
本実施の形態に係るプリンタ１０は、図４に示すように、４つの画像形成ステーション１５（Ｙ、Ｍ、Ｃ、Ｋ）、中間転写ベルト７０、二次転写ユニット８０を有し、さらに、定着ユニット９０、ユーザへの報知手段をなし液晶パネルからなる表示ユニット９５、及び、これらのユニット等を制御しプリンタとしての動作を司る制御ユニット１００（図５）を有している。
【００２４】
画像形成ステーション１５（Ｙ、Ｍ、Ｃ、Ｋ）は、それぞれ、イエロー（Ｙ）、マゼンタ（Ｍ）、シアン（Ｃ）、ブラック（Ｋ）のトナーで画像を形成する機能を有している。画像形成ステーション１５（Ｙ、Ｍ、Ｃ、Ｋ）の構成は同様であるので、以下、画像形成ステーション１５Ｙについて説明する。
【００２５】
画像形成ステーション１５Ｙは、図４に示すように、像担持体の一例としての感光体２０Ｙの回転方向に沿って、帯電ユニット３０Ｙ、露光ユニット４０Ｙ、現像装置の一例としての現像ユニット５０Ｙ、一次転写部Ｂ１、感光体クリーニングユニット７５Ｙを有している。
【００２６】
感光体２０Ｙは、円筒状の基材とその外周面に形成された感光層を有し、中心軸を中心に回転可能であり、本実施の形態においては、図４中の矢印で示すように時計回りに回転する。
【００２７】
帯電ユニット３０Ｙは、感光体２０Ｙを帯電するための装置である。不図示の露光ユニットからは、光路４０Ｙでレーザを照射することによって帯電された感光体２０Ｙ上に潜像を形成する。露光ユニットは、半導体レーザ、ポリゴンミラー、Ｆ−θレンズ等を有しており、パーソナルコンピュータ、ワードプロセッサ等の不図示のホストコンピュータから入力された画像信号に基づいて、変調されたレーザを帯電された感光体２０Ｙ上に照射する。
【００２８】
現像ユニット５０Ｙは、感光体２０Ｙ上に形成された潜像を、イエロー（Ｙ）のトナーを用いて現像するための装置である。
【００２９】
中間転写ベルト７０は、複数の支持ローラに張架されたエンドレスのベルトであり、感光体２０（Ｙ、Ｍ、Ｃ、Ｋ）と当接しながら回転駆動される。図２に示されるように中間転写ベルト７０は、導電層７０ａと、この導電層７０ａ上に形成され感光体２０（Ｙ、Ｍ、Ｃ、Ｋ）に圧接される抵抗層７０ｂと、導電層７０ａ下に形成される絶縁基体７０ｃを有する複層構造で構成される。中間転写ベルと７０の側縁部において抵抗層７０ｂが帯状に除去されることにより導電層７０ａが帯状に露出し、中間転写ベルト７０の従動ローラ７１ｂをバックアップローラとして電極ローラ２１０が帯状の導電層７０ａに接触して一次転写電圧を印加する一次転写ユニット６０を形成する。感光体２０Ｙが一次転写部Ｂ１で中間転写ベルト７０に当接し、イエロートナー像が中間転写ベルト７０に一次転写される。４色のトナーが順次重ねて転写された場合には、中間転写ベルト７０にフルカラートナー像が形成される。
【００３０】
二次転写ユニット８０は、中間転写ベルト７０上に形成された単色トナー像やフルカラートナー像を紙、フィルム、布等の転写材に転写するための装置である。
【００３１】
定着ユニット９０は、定着ローラ９０ａと加圧ローラ９０ｂにより構成され、転写材上に転写された単色トナー像やフルカラートナー像を紙等の転写材に融着させて永久像とするための装置である。
【００３２】
感光体クリーニングユニット７５Ｙは、感光体２０Ｙの表面に当接されたゴム製の感光体クリーニングブレード７６Ｙ（図１）を有し、一次転写ユニット６０Ｙによって中間転写ベルト７０上にトナー像が転写された後に、感光体２０Ｙ上に残存するトナーを感光体クリーニングブレード７６Ｙにより掻き落として除去するための装置である。
【００３３】
制御ユニット１００は、図５に示すようにメインコントローラ１０１と、ユニットコントローラ１０２とで構成され、メインコントローラ１０１には画像信号及び制御信号が入力され、この画像信号及び制御信号に基づく指令に応じてユニットコントローラ１０２が前記各ユニット等を制御して画像を形成する。
【００３４】
次に、このように構成されたプリンタ１０の動作について、他の構成要素にも言及しつつ説明する。
【００３５】
まず、不図示のホストコンピュータからの画像信号及び制御信号がインターフェイス（Ｉ／Ｆ）１１２を介してプリンタ１０のメインコントローラ１０１に入力されると、このメインコントローラ１０１からの指令に基づくユニットコントローラ１０２の制御により感光体２０（Ｙ、Ｍ、Ｃ、Ｋ）、現像ユニット５０（Ｙ、Ｍ、Ｃ、Ｋ）に備えられた現像ローラ、及び、中間転写ベルト７０等が回転する。感光体２０（Ｙ、Ｍ、Ｃ、Ｋ）は、回転しながら、帯電位置において帯電ユニット３０（Ｙ、Ｍ、Ｃ、Ｋ）により順次帯電される。
【００３６】
感光体２０（Ｙ、Ｍ、Ｃ、Ｋ）の帯電された領域は、感光体２０（Ｙ、Ｍ、Ｃ、Ｋ）の回転に伴って露光位置に至り、露光ユニット４０（Ｙ、Ｍ、Ｃ、Ｋ）によって、イエローＹ、マゼンタＭ、シアンＣ、ブラックＫの画像情報に応じた潜像が該領域に形成される。
【００３７】
感光体２０（Ｙ、Ｍ、Ｃ、Ｋ）上に形成された潜像は、感光体２０（Ｙ、Ｍ、Ｃ、Ｋ）の回転に伴って現像位置に至り、現像ユニット５０（Ｙ、Ｍ、Ｃ、Ｋ）によって現像される。これにより、感光体２０（Ｙ、Ｍ、Ｃ、Ｋ）上にトナー像が形成される。
【００３８】
感光体２０（Ｙ、Ｍ、Ｃ、Ｋ）上に形成されたトナー像は、感光体２０（Ｙ、Ｍ、Ｃ、Ｋ）の回転に伴って一次転写部Ｂ１、Ｂ２、Ｂ３、Ｂ４に至り、中間転写ベルト７０に転写される。この際、一次転写電圧を印加する電極ローラ２１０からトナーの帯電極性とは逆の極性の一次転写電圧が印加される。この結果、各々の感光体２０（Ｙ、Ｍ、Ｃ、Ｋ）上に形成された４色のトナー像は、中間転写ベルト７０に重なり合って転写され、中間転写ベルト７０上にはフルカラートナー像が形成される。
【００３９】
中間転写ベルト７０内周にはローラが設けられており、中間転写ベルト７０は、不図示のモータ等の駆動力がこのローラを介して伝達されることによって駆動される。
【００４０】
中間転写ベルト７０上に形成されたフルカラートナー像は、中間転写ベルト７０の回転に伴って二次転写位置に移動するが、二次転写位置の直前に配置された二次転写前帯電ユニット９９により、中間転写ベルト７０上のトナー像の帯電極性が逆極性の帯電極性にされる。その後、二次転写ユニット８０によって紙等の転写材に転写される。二次転写は、中間転写ベルト７０上のトナー像が二次転写前帯電ユニット９９により逆極性に帯電されているため、一次転写の際印加された一次転写電圧とは逆極性の二次転写電圧が印加される。なお、このような転写材は、給紙トレイ９２から、給紙ローラ９４ａ、レジローラ９４ｂを介して二次転写ユニット８０へ搬送される。
【００４１】
フルカラートナー像が二次転写ユニット８０によって転写材に転写された後、中間転写ベルト７０はさらに反時計回りに回転して、中間転写ベルト７０表面に残留したトナーを、中間転写ベルトクリーニングブレード８７によって除去する。中間転写ベルトクリーニングブレード８７は、ゴム製のブレードであり、硬度ＪＩＳ−Ａ７０°のウレタンゴムが用いられる。中間転写ベルト７０の幅３２４ｍｍに対して、中間転写ベルトクリーニングブレード８７の幅は３１７ｍｍであり、中間転写ベルトクリーニングブレード８７は中間転写ベルト７０に対して５０ｇｆ／ｃｍの線圧で当接させる。なお、必要に応じてこの中間転写ベルトクリーニングブレード８７を離間させるような機構を設けておくこともできる。
【００４２】
転写材に転写されたフルカラートナー像は、定着ユニット９０によって加熱加圧されて転写材に融着される。定着ユニット９０の通過後、排紙ローラ９４ｃにより排紙される。
【００４３】
一方、感光体２０（Ｙ、Ｍ、Ｃ、Ｋ）は一次転写部Ｂ１、Ｂ２、Ｂ３、Ｂ４位置を経過した後に、除電ユニット（図示せず）によって除電され、さらに、感光体クリーニングユニット７５（Ｙ、Ｍ、Ｃ、Ｋ）に支持された感光体クリーニングブレード７６（Ｙ、Ｍ、Ｃ、Ｋ）（図１）によって、その表面に付着しているトナーが掻き落とされ、次の潜像を形成するための帯電に備える。掻き落とされたトナーは、感光体クリーニングユニット７５（Ｙ、Ｍ、Ｃ、Ｋ）が備える残存トナー回収部に回収される。
【００４４】
次に、制御ユニット１００の構成について図５を参照しつつ説明する。制御ユニット１００のメインコントローラ１０１は、インターフェイス１１２を介してホストコンピュータと接続され、このホストコンピュータから入力された画像信号を記憶するための画像メモリ１１３を備えている。ユニットコントローラ１０２は、装置本体の各ユニット（帯電ユニット３０（Ｙ、Ｍ、Ｃ、Ｋ）、感光体ユニット（Ｙ、Ｍ、Ｃ、Ｋ）、露光ユニット４０（Ｙ、Ｍ、Ｃ、Ｋ）、現像ユニット５０（Ｙ、Ｍ、Ｃ、Ｋ）、一次転写ユニット６０（Ｙ、Ｍ、Ｃ、Ｋ）、中間転写ベルト７０、感光体クリーニングユニット７５（Ｙ、Ｍ、Ｃ、Ｋ）、二次転写ユニット８０、中間転写ベルトクリーニングユニット８５、定着ユニット９０、表示ユニット９５、転写材検知センサー１４（ａ、ｂ、ｃ、ｄ））と電気的に接続され、それらが備えるセンサーからの信号を受信することによって、各ユニットの状態を検出しつつ、メインコントローラ１０１から入力される信号に基づいて、各ユニットを制御する。
【図面の簡単な説明】
【００４５】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【符号の説明】
【００４６】
１０：プリンタ、１０ａ：プリンタ本体、１２：カバー、１３：転写材搬送経路、
１４（ａ、ｂ、ｃ、ｄ）：転写材検知センサー、
１５（Ｙ、Ｍ、Ｃ、Ｋ）：画像形成ステーション、
２０（Ｙ、Ｍ、Ｃ、Ｋ）：感光体、３０（Ｙ、Ｍ、Ｃ、Ｋ）：帯電ユニット、
４０（Ｙ、Ｍ、Ｃ、Ｋ）：露光ユニット、
５０（Ｙ、Ｍ、Ｃ、Ｋ）：現像ユニット、６０：一次転写ユニット、
６５（Ｙ、Ｍ、Ｃ、Ｋ）：バックアップローラ、
７０：中間転写ベルト、７０Ａａ：導電層、７０ｂ：抵抗層、７０ｃ：絶縁基材
７１ａ：駆動ローラ、７１ｂ：従動ローラ、７１ｃ、７１ｄ：支持ローラ、
７５（Ｙ、Ｍ、Ｃ、Ｋ）：感光体クリーニングユニット、
７６（Ｙ、Ｍ、Ｃ、Ｋ）：感光体クリーニングブレード、
８０：二次転写ユニット、８２：二次転写ローラ、
８５：中間転写ベルトクリーニングユニット、８６：収容部、
８７：中間転写ベルトクリーニングブレード、９０：定着ユニット、
９０ａ：定着ローラ、９０ｂ：加圧ローラ、９２：給紙トレイ、
９４ａ：給紙ローラ、９４ｂ：レジローラ、９４ｃ：排紙ローラ、
９５：表示ユニット、９８：排紙トレイ、９９：二次転写前帯電ユニット、
１００：制御ユニット、１０１：メインコントローラ、
１０２：ユニットコントローラ、１１２：インターフェイス、１１３：画像メモリ、
１２１：帯電バイアス供給部、１２２：現像バイアス供給部、１２３：電圧供給部、
１２３ａ：一次転写バイアス供給部、１２３ｂ：逆転写バイアス供給部、
１２４：二次転写バイアス供給部、１２５：二次転写前帯電バイアス供給部、
２１０：電極ローラ
Ａ１、Ａ２、Ａ３、Ａ４：現像部、Ｂ１、Ｂ２、Ｂ３、Ｂ４：一次転写部、
Ｃ１：二次転写部
【図１】
2008241864.tif 000003
【図２】
2008241864.tif 000004
【図３】
2008241864.tif 000005
【図４】
2008241864.tif 000006
【図５】
2008241864.tif 000007